(57)【特許請求の範囲】
【請求項１】
コンタクトを保持した絶縁ハウジングと、その絶縁ハウジングの表面に重なるシールド部材とを備え、そのシールド部材は、相手方コネクタの端子部が嵌合する嵌合用開口の周囲を囲む枠部分を有する金属シェルと、その金属シェルと絶縁ハウジングとの間に配置される金属シールドとを含むシールド型コネクタであって、
前記絶縁ハウジングは、相手方コネクタの端子部の挿入口を有する前面部分と、コンタクトの引き出し口を有する背面部分とを有し、かつ、前記コンタクトの上側に配置され、該背面部分から該前面部分の側へ延在する上板部分と、該コンタクトの下側に配置され、該背面部分から該前面部分の側へ延在する底板部分とにより、該コンタクトを収容する両側面部分が解放された略箱形を形成し、
前記シールド部材は、前記コンタクトの両側方を解放する前記絶縁ハウジングの両側面部分を覆い、
前記金属シールドは、絶縁ハウジングの上面を覆う上面シールド部分と、絶縁ハウジングの解放された両側面部分を覆う側面シールド部分とを有し、それら側面シールド部分に、相手方コネクタの端子部の嵌合時にその端子部の相対する左右の側面に接触して端子部の嵌合状態を保持するバネ片がそれぞれ設けられている、
シールド型コネクタ。
【請求項２】
前記金属シールドの上面シールド部分には、相手方コネクタの端子部の嵌合時にその端子部表面の凹部に係合する係合片を有し、その係合片は、絶縁ハウジングの上板部分に形成された開口を通して絶縁ハウジング内に導かれている、請求項１に記載のシールド型コネクタ。
【発明の詳細な説明】
【０００１】
【発明の属する技術分野】
本発明は、コンタクトを保持する絶縁ハウジングの外周面に電気的ノイズを防止するシールド用の金属シェルを備えたシールド型コネクタに関する。
【０００２】
【従来の技術】
電気コネクタの略箱形の絶縁ハウジングの外周面に電気的ノイズを防止する目的で金属製のシールド部材を配置することが知られている。この種のシールド型電気コネクタの一例が実開平５−３４６７９号公報、特開平１０−８３８６６号公報等に開示されている。開示された電気コネクタは基板実装型のコネクタであり、金属板により構成される略コ字形状の一対のシールド部材が略箱形の絶縁ハウジングの外周の４面あるいは３面に重なるように配置される。
【０００３】
図１５及び図１６に、こうした従来のシールド型電気コネクタの例を示す。なお、図１５にリセプタクルコネクタＲが示され、図１６にプラグコネクタＰが示されているが、プラグコネクタＰに対してリセプタクルコネクタＲが小さいために、図１５を拡大して示している。
【０００４】
この図１５に示すリセプタクルコネクタＲの場合、シールド部材は、一番外側に配置する平面略コ字形の金属シェル３２０と、その金属シェル３２０と内部の絶縁ハウジングとの間に配置された断面略コ字形状のシールド金属板３３０とにより構成されている。金属シェル３２０は、絶縁ハウジングの前面と両側面の３面を覆うように配置され、シールド金属板３３０は、絶縁ハウジングの上面と両側面の３面を覆うように配置される。これにより、絶縁ハウジングの前面、上面及び両側面の４面がシールドされる。シールド金属板３２０には、プラグコネクタ（相手方コネクタ）Ｐのシールド金属を兼ねた端子部３１０の表面の係合凹部３１１に係合する係合片３０３が設けられている。
【０００５】
金属シェル３２０は、前面シールド部分３２３と両側の側面シールド部分３２４、３２４を有する。そして、前面シールド部分３２３には、プラグコネクタＰの端子部３１０を挿入するための開口３２１を形成する嵌合筒部３０７が設けられている。この嵌合筒部３０７は図示のように略四角筒状に形成されていて、前面側に突出している。この金属シェル３２０は、金属板の打ち抜き加工後に、嵌合筒部３０７の部分を絞り加工により形成している。３０８は嵌合極性を与えるための凸部であり、３１２は凸部３０８と嵌合する凹部である。３１３はピンコンタクトを示す。
【０００６】
【発明が解決しようとする課題】
近年の電気コネクタは小型化される傾向にあり、上述の基板実装型コネクタにおいても小型であることが要求される。加えて、製造コストが安く、寸法安定性も高いことが望まれる。また、小型化を図りつつ、シールド性能の向上及びその安定化を図ることも重要である。
【０００７】
しかしながら、上述のようなコネクタにおいては、特に、嵌合筒部３０７を絞り加工により形成しているために、製造コストが高く、外形も大きくなって小型化を図り難いという問題がある。また、嵌合筒部３０７を絞り加工するため、その嵌合筒部３０７の寸法安定性が良くないという問題もある。さらに、このように絞り加工した嵌合筒部３０７の部分は、プラグコネクタＰの嵌合時に「こじり」等による大きな力が作用すると、その力の程度によっては絞りが戻る、いわゆる開きが生じる恐れがないとは言えない。この点は、挿抜が頻繁に繰り返されるコネクタにおいては、十分に配慮する必要がある。
【０００８】
また、この種のコネクタに関し、必要なシールド性能を維持しつつさらに小型化並びに軽量化を図るという観点から検討してみると、絶縁ハウジング自体にも改良の余地が残されていることが分かった。即ち、従来の絶縁ハウジングは６面を有する略箱形に構成されている。しかし、絶縁ハウジング本来の機能に着目した場合、複数のコンタクトを保持する機能の他に、絶縁ハウジングを覆うシールド部材と複数のコンタクトとを電気的に絶縁状態に保持する機能を発揮できれば良い。この点、従来の絶縁ハウジングは、強度的にも優れた金属シールド部材で覆う構造としているにもかかわらず、余分な肉厚や構造部分を有していたため、それ以上の小型化並びに軽量化を図り難いという問題があった。
【０００９】
一方、挿抜が頻繁に繰り返されるコネクタにおいては、嵌合部分の摩耗や変形などによりプラグコネクタとリセプタクルコネクタとのシールド部材どうしの接触安定性（接触強さ）が次第に低下してがたつきが生じる場合がある。そのため、挿抜の頻度やその状態によってはノイズ成分を基板側のアースに導く接地安定性が損なわれたり、挿抜の安定性が損なわれたりする恐れがある。
【００１０】
特に、接地安定性については、がたつきにより、プラグ側とリセプタクル側との電気的接続が不安定になり、伝幡してきたノイズ成分を基板側のアースに安定的に導くことが困難になってしまう懸念があった。
【００１１】
本発明は、これらのような点に鑑みてなされたものであり、その目的は、シールド型コネクタの特にリセプタクル側において、小型化並びに軽量化を図ることができ、また、長期間の酷使に耐えてプラグ側との接続信頼性並びに挿抜の安定性を高めるとともに、プラグ側との接続時におけるノイズ成分の除去に極めて効果的なシールド型コネクタを提供することにある。
【００１２】
【課題を解決するための手段】
前記課題を解決するため、本発明は以下の手段を採用した。
本発明の第１の手段は、コンタクトを保持した絶縁ハウジングと、その絶縁ハウジングの表面に重なるシールド部材とを備え、そのシールド部材は、相手方コネクタの端子部が嵌合する嵌合用開口の周囲を囲む枠部分を有する金属シェルと、その金属シェルと絶縁ハウジングとの間に配置される金属シールドとを含むシールド型コネクタであって、
前記絶縁ハウジングは、複数の開口を有する略箱形に形成されていて、その上面の一部を形成する上板部分と、底面の一部を形成する底板部分と、相手方コネクタの端子部の挿入口を有する前面部分と、コンタクトの引き出し口を有する背面部分とを有し、かつ、両側面部分が解放されていてその解放された両側面部分が前記シールド部材により覆われていることを特徴とする。
【００１３】
この手段によれば、絶縁ハウジングの両側の側面部分を解放して両側の側板部分を無くす構成とすることで、その分、絶縁ハウジング自体を小さくかつ軽量化することができ、これによりコネクタ全体の小型化並びに軽量化を図ることができる。また、絶縁ハウジングの解放された両側面部分はシールド部材により覆われているので、コネクタ全体の強度及び必要なシールド性能も十分に確保されることになる。
【００１４】
本発明の第２の手段は、第１の手段における金属シールドが、絶縁ハウジングの上面を覆う上面シールド部分と、絶縁ハウジングの解放された両側面部分を覆う側面シールド部分とを有し、それら側面シールド部分に、相手方コネクタの端子部の嵌合時にその端子部の相対する左右の側面に接触して端子部の嵌合状態を保持するバネ片がそれぞれ設けられていることを特徴とする。
【００１５】
この第２の手段によれば、金属シールドの側面シールド部分にバネ片が設けられているが、絶縁ハウジングの両側面部分は解放されているので、両バネ片は相手方コネクタの端子部の側面にそれぞれ接触することができ、端子部をがたつきなく安定状態に保持する。これにより、相手方コネクタであるプラグ側と、リセプタクル側との電気的接続が安定になり、伝幡してきたノイズ成分を基板側のアースに安定的に導くことが可能になる。また、端子部の側面にバネ片が接触することで、プラグコネクタの挿抜時に端子部側面とバネ片との間に摩擦による抵抗と位置決め作用が生じる。この抵抗及び位置決め作用はバネ片により安定しているため、挿抜の安定性も向上する。
【００１６】
本発明の第３の手段は、第１及び第２の手段における金属シールドの上面シールド部分に、相手方コネクタの端子部の嵌合時にその端子部表面の凹部に係合する係合片が設けられ、その係合片は、絶縁ハウジングの上板部分に形成された開口を通して絶縁ハウジング内に導かれていることを特徴とする。
【００１７】
この第３の手段によれば、金属シールドの上面シールド部分に設けた係合片が端子部表面の凹部に係合して端子部を保持する。したがって、バネ片の位置決め作用の他にこの係合片による位置決め作用も端子部に加わるため、端子部はさらに安定状態に保持される。これによりプラグ側とリセプタクル側との電気的接続の安定性（接地安定性）及び挿抜の安定性をさらに良好にすることができる。絶縁ハウジングの上板部分には係合片を絶縁ハウジング内に導く開口が形成されているため、この開口も絶縁ハウジングの軽量化に寄与する。
【００１８】
【発明の実施の形態】
以下、本発明の実施の形態を、添付の図１〜図１４を参照して説明する。
これらの図に示す実施の形態は、本発明を、回路基板に挿入して実装するいわゆるディップタイプの電気コネクタに適用したものである。
【００１９】
このシールド型コネクタＲは、図１の斜視図、図２の正面図及び図３の断面図等に示すように、コンタクト１を保持した絶縁ハウジング１０と、その絶縁ハウジング１０の表面に重なるシールド用の金属シェル２０とを備える。金属シェル２０には、相手方コネクタ（図１６参照）の端子部を嵌合するための嵌合用開口２１とその嵌合用開口２１の周囲を囲む枠部分２２とが設けられている。
【００２０】
枠部分２２は、嵌合用開口２１の周囲を一周する繋ぎ目のない連続した金属板の部分として形成されている。嵌合用開口２１の中央下部には、枠部分２２の一部から突出する凸部２２ａが形成されている。この凸部２２ａは、相手コネクタとの嵌合極性を付与する凸部である。なお、相手コネクタについては、図１６と同様の既存のプラグコネクタが使用可能であるため、ここでは特別に図示していない。
【００２１】
絶縁ハウジング１０は、複数の開口を有する略箱形であって、全体が高強度の樹脂により形成されている。この絶縁ハウジング１０について、具体的に説明する。絶縁ハウジング１０は、図３、図４、図８、図９に示すように、その上面の一部を形成する上板部分１０ａと、底面の一部を形成する底板部分１０ｂと、相手方コネクタの端子部の挿入口２１を有する前面部分１０ｃと、コンタクトの引き出し口１１ａを有する背面部分１０ｄとを備えている。したがって、この絶縁ハウジング１０は、図８及び図９から明らかなように両側面部分が解放されていて、側板部分が初めから設けられていない断面略コ字型（図４参照）の樹脂成形品として構成されている。
【００２２】
絶縁ハウジング１０の上板部分１０ａには、図３に示すように、後述する金属シールド３０の係合片３２を絶縁ハウジング１０内に導くための開口１０ｅが設けられている。また、この上板部分１０ａのうち、前面部分１０ｃ寄りの部分は金属シェル２０の板厚の分だけ薄くした薄肉部１０ｆに形成されている。これは金属シールド３０の上に金属シェル３０が部分的に重なるために、上板部分１０ａの板厚を調整することで、金属シェル２０の表面と金属シールド３０の表面とが面一になるように配慮したものである。
【００２３】
絶縁ハウジング１０には側板部分が設けられていないことから、図４に示すように、背面部分１０ｄが、上板部分１０ａ及び底板部分１０ｂを片持ち状態で支持する構造となる。このため、背面部分１０ｄについては絶縁ハウジング１０全体の強度を高める目的で図示のように厚肉に形成している。
【００２４】
絶縁ハウジング１０の内部には、コンタクト保持部１１と、相手方コネクタのピンコンタクトが挿入される挿入口１２とを有する。コンタクト１の先端部２は、絶縁ハウジング１０の先端保持部１３に保持されている。コンタクト１の先端部２の近くには、挿入口１２内へ突出するように湾曲した湾曲部３が形成され、挿入口１２内へ挿入されるピンコンタクトとの接触強さが高まるように配慮されている。
【００２５】
コンタクト１のタイン４は、絶縁ハウジング１０の背面部分１０ｄの引き出し口１１ａから引き出され、下方へ曲げられて真っ直ぐに延び、絶縁ハウジング１０の下面よりも下方へ突出している。このタイン４の部分は基板のスルーホール等に挿入されて半田付けされる。図示例のコネクタＲは４ピンコネクタであり、したがってコンタクト１も４つ配置されている。各コンタクト１のタイン４が集中するのを防ぐため各タイン４を千鳥配置としている。
【００２６】
金属シェル２０は、図１０に示すように、導電性金属板を打ち抜き加工して展開形状の金属シェル２０Ａを形成した後に曲げ加工して形成したもので、▲１▼で示す前面シールド部分２３と、▲２▼で示す両側の側面シールド部分２４、２４と、▲３▼で示す上面シールド部分２５と、▲４▼で示す底面シールド部分２６と、▲５▼で示す係合片２７、２７と、▲６▼で示す固定片２８、２８とを有し、これらの部分が絶縁ハウジング１０の表面への重なり部分を構成している。▲１▼〜▲６▼で示す各重なり部分は図中破線で示す位置から曲げ加工される。これにより、金属シェル２０は、絶縁ハウジング１０の６面のそれぞれに少なくとも一部が重なる重なり部分を有する構成となる。
【００２７】
このように、金属シェル２０が絶縁ハウジング１０の６面のそれぞれに少なくとも一部が重なる重なり部分を有することで、それら重なり部分の曲げ加工を施すだけで、金属シェル２０を絶縁ハウジング１０に対して容易にかつしっかりと固定することができる。
【００２８】
また、金属シェル２０の展開形状のもの２０Ａが破線部分から曲げ加工されて形成される繋ぎ目（図１参照）は、絶縁ハウジング１０の両側面側に位置し、各繋ぎ目が面一となるように係合される係合片２７、２７を有することで、繋ぎ目が外側へ張り出さないようにしてその分、外形を小さく納めることができる。しかも、繋ぎ目が開かないようにするための係合片２７と係合する切り欠き２９、２９は、双方の板厚の範囲内で係合片２７と緊密に係合し合うように配慮している。図において、符号２４ａは図示しない回路基板等に形成されるスロットに差し込まれて半田付けされる突出片を示している。
【００２９】
図１は金属シェル２０の曲げ加工後の斜視図で、内部の絶縁ハウジング１０を覆った状態の完成されたコネクタＲを示しているが、このコネクタＲには、さらに、金属板の加工（打ち抜きと曲げ加工）により形成した前記金属シールド３０が設けられている。この金属シールド３０は、絶縁ハウジング１０と金属シェル２０との間に配置され、金属シェル２０により拘束された形態となっている。
【００３０】
図１１にその金属シールドの正面図を、図１２にその断面図を、図１３にその平面図を、図１４にその右側面図をそれぞれ示している。
この金属シールド３０は、正面から見て略コ字形に形成され、絶縁ハウジング１０の上面の一部を覆う上面シールド部分３１と、絶縁ハウジング１０の解放された両側面を覆う側面シールド部分３３、３３と、それら側面シールド部分に形成されたバネ片３４、３４と、相手方コネクタの端子部に係合する係合片３２とを有している。
【００３１】
各バネ片３４、３４は、リセプタクルコネクタＲに対する相手方コネクタの端子部の嵌合時にその端子部表面（相対する両側面）に接触して端子部の嵌合状態を保持する機能を有するように設定され、端子部をがたつきなく安定状態で保持する。即ち、各バネ片３４、３４は、側面シールド部分３３、３３に連続した基端部３４ａ、３４ａと、その基端部から延びる自由端部３４ｂ、３４ｂとを有する板状であり、その自由端部３４ｂ、３４ｂが側面シールド部分に沿って絶縁ハウジングの背面側へ延びている。
【００３２】
両側面シールド部分３３、３３に、それぞれ板状の各バネ片３４、３４を形成するために、両側面シールド部分３３、３３に側面からみて略コ字形の切り抜き３５、３５を形成している。各バネ片３４、３４は基端部３４ａ、３４ａ付近に曲げを入れることで、ほぼ肉厚程度の範囲で内側に突出している。これにより、各バネ片３４、３４は、端子部が挿入される嵌合用開口２１の左右の内壁面側にそれぞれ配置され、各バネ片３４、３４が端子部の相対する左右の側面にそれぞれ接触するように配慮されている。
【００３３】
係合片３２は屈曲部３２ａを介して後方へ曲げられてその自由端部３２ｂが絶縁ハウジング１０内に位置している。そして、その自由端部３２ｂの近くに、端子部表面の凹部に係合する係合凸部３２ｃが設けられている。
【００３４】
本実施の形態では、絶縁ハウジング１０の両側の側面部分を解放して両側の側板部分を無くす構成とすることで、その分、絶縁ハウジング１０自体を小さくかつ軽量化することができ、これによりコネクタ全体の小型化並びに軽量化を図ることができる。また、絶縁ハウジング１０の解放された両側面部分は金属シェル２０及び金属シールド３０の側面シールド部分２４及び３３により覆われているので、コネクタ全体の強度及び必要なシールド性能も十分に確保されることになる。
【００３５】
また、金属シールド３０の側面シールド部分３３、３３にバネ片３４、３４が設けられているが、絶縁ハウジング１０の両側面部分は解放されているので、両バネ片３４、３４はプラグコネクタ（Ｐ）の端子部（３１０）の側面にそれぞれ接触することができ、端子部をがたつきなく安定状態に保持する。これにより、相手方コネクタであるプラグコネクタ（Ｐ）と、リセプタクルコネクタＲとの電気的接続が安定になり、伝幡してきたノイズ成分を基板側のアースに安定的に導くことが可能になる。また、端子部表面にバネ片３４、３４が接触することで、プラグコネクタの挿抜時に端子部表面とバネ片３４、３４との間に摩擦による抵抗と位置決め作用が生じる。この抵抗及び位置決め作用はバネ片の存在により安定しているため、挿抜の安定性も向上する。
【００３６】
また、左右に配置したバネ片３４、３４が端子部の相対する左右の側面に接触するように設定することで、端子部を両側から挟み込むように保持することができる。これにより、プラグ側とリセプタクル側との電気的接続の安定性（接地安定性）及び挿抜の安定性がさらに良好になる。
【００３７】
また、各バネ片３４は板状でその自由端部３４ｂが側面シールド部分３３に沿って絶縁ハウジング１０の背面側へ延びている。このため、各バネ片３４、３４の一部を図示のように互いに接近する方向に曲げるだけの簡単な加工で端子部表面に接触可能にすることができる。その場合、各バネ片３４、３４は板状であるので、端子部表面に均一に面接触させるようにすることもできる。また、各バネ片３４、３４の自由端部３４ｂは、端子部の挿抜方向へ沿って延びているので、その自由端部３４ｂ、３４ｂの存在が端子部の挿抜に支障を招くこともない。
【００３８】
なお、以上の実施の形態によれば、相手方コネクタの端子部が嵌合する嵌合用開口２１及び枠部分２２を含む展開形状の金属シェルを金属板材の打ち抜き加工により形成することで、嵌合用開口２１の寸法安定性を図り、高精度な嵌合用開口２１とすることができる。また、絞り加工に代えて打ち抜き加工ですむため、製作容易で低コスト化及び小型化を図ることが可能になる。さらに、嵌合用開口２１を囲む枠部分２２は絞りや繋ぎ目のない連続した金属板の部分で形成されるため、強度的にも優れた形状となる。
【００３９】
【発明の効果】
以上のように、本発明によれば、シールド型コネクタの特にリセプタクル側において、小型化並びに軽量化を図ることができ、また、長期間の酷使に耐えてプラグ側との接続信頼性並びに挿抜の安定性を高めるとともに、プラグ側との接続時におけるノイズ成分の除去に極めて効果的なシールド型コネクタを提供することができる。
【図面の簡単な説明】
【図１】本発明の実施の形態に係るシールド型コネクタの斜視図である。
【図２】同じくシールド型コネクタの正面図である。
【図３】図２のIII−III線に沿う断面図である。
【図４】図２のIV−IV線に沿う断面図である。
【図５】同じくシールド型コネクタの側面図である。
【図６】同じくシールド型コネクタの平面図である。
【図７】同じくシールド型コネクタの底面図である。
【図８】図６のVIII−VIII線に沿う断面図である。
【図９】図６のIX−IX線に沿う断面図である。
【図１０】本発明の実施の形態に係る金属シェルの展開図である。
【図１１】本発明の実施の形態に係る金属シールドの正面図である。
【図１２】本発明の実施の形態に係る金属シールドの断面図である。
【図１３】本発明の実施の形態に係る金属シールドの平面図である。
【図１４】本発明の実施の形態に係る金属シールドの右側面図である。
【図１５】従来のシールド型コネクタ（リセプタクルコネクタ）の斜視図である。
【図１６】従来のシールド型コネクタ（プラグコネクタ）の斜視図である。
【符号の説明】
Ｐ  プラグコネクタ
Ｒ  リセプタクルコネクタ
１  コンタクト
２  先端部
３  係合凸部
１０  絶縁ハウジング
１０ａ  上板部分
１０ｂ  底板部分
１０ｃ  前面部分
１０ｄ  背面部分
１０ｅ  開口
１０ｆ  薄肉部
１１  挿入口
１１ａ  引き出し口
２０  金属シェル
２１  嵌合用開口
２２  枠部分
２３  前面シールド部分
２４  側面シールド部分
２５  上面シールド部分
２６  底面シールド部分
２７  係合片
２８  固定片
２９  切り欠き
３０  金属シールド
３１  上面シールド部分
３２  係合片
３３  側面シールド部分
３４  バネ片
３４ａ  基端部
３４ｂ  自由端
【図１】
0004417491.tif 000002
【図２】
0004417491.tif 000003
【図３】
0004417491.tif 000004
【図４】
0004417491.tif 000005
【図５】
0004417491.tif 000006
【図６】
0004417491.tif 000007
【図７】
0004417491.tif 000008
【図８】
0004417491.tif 000009
【図９】
0004417491.tif 000010
【図１０】
0004417491.tif 000011
【図１１】
0004417491.tif 000012
【図１２】
0004417491.tif 000013
【図１３】
0004417491.tif 000014
【図１４】
0004417491.tif 000015
【図１５】
0004417491.tif 000016
【図１６】
0004417491.tif 000017